(57)【要約】【課題】筒壁の一側部に粗面と滑らかな面とのコントラストにより目盛を明瞭に形成した、目盛付き計量カップを提供する。【解決手段】有底の周壁を有し、この周壁の周方向一側部に目盛表示エリアを形成した計量カップであって、この目盛表示エリア６を、線や文字などの目盛要素８を具現する第１のセクション１０と、目盛以外のバックグラウンドに相当する第２のセクション１２とで形成し、目盛表示エリア以外の周壁表面部分と第１のセクション１０の少なくとも縁部分とを、滑らかな面で、かつ第２のセクション１２を、透過光又は反射光を散乱する機能を有する粗面でそれぞれ形成するとともに、第２のセクション１２は、第１のセクション１０を取り囲むように構成した。【選択図】図１
2010127869.tif 000002
【特許請求の範囲】
【請求項１】
有底の周壁を有し、この周壁の一側部に目盛表示エリアを形成した計量カップであって、
この目盛表示エリア６を、線や文字などの目盛要素８を具現する第１のセクション１０と、目盛以外のバックグラウンドに相当する第２のセクション１２とで形成し、
目盛表示エリア以外の周壁表面部分と第１のセクション１０の少なくとも縁部分とを、滑らかな面で、かつ第２のセクション１２を、透過光又は反射光を散乱する機能を有する粗面でそれぞれ形成するとともに、
第２のセクション１２は、第１のセクション１０を取り囲むように構成したことを特徴とする、目盛付き計量カップ。
【請求項２】
上記周壁４の全体を透明材料で形成したことを特徴とする、請求項１記載の目盛付き計量カップ。
【請求項３】
目盛表示エリア６内の任意の目盛要素８に関して、この目盛要素を具現する第１のセクション１０の縁部分全体を滑らかな面とするとともに、縁部分を除く第１のセクション部分を、第２のセクション１２と同じ粗面としたことを特徴とする、請求項２記載の目盛付き計量カップ。
【請求項４】
目盛要素８毎に目盛表示エリア６を形成して、この目盛表示エリア６の第１のセクション１０を滑らかな面で形成するとともに、第２のセクション１２を、上記第１のセクション１０の外縁に沿って延びる略一定巾に形成したことを特徴とする、請求項２記載の目盛付き計量カップ。
【請求項５】
上記周壁の粗面箇所を、金型の対応箇所にブラスト加工により微小凹凸を設けることにより形成したことを特徴とする、請求項２から請求項４の何れかに記載の目盛付き計量カップ。
【請求項６】
上記目盛表示エリア６を、周壁４の外周面に形成したことを特徴とする、請求項２から請求項５の何れかに記載の目盛付き計量カップ。
【発明の詳細な説明】
【技術分野】
【０００１】
本発明は、目盛付き計量カップ、特にその計量目盛を明瞭にみることが可能な計量カップに関する。
【背景技術】
【０００２】
透明な有底の周壁を有し、かつこの透明周壁の内外面のうち一方に、周方向全体に亘って目盛線を周設し（特許文献１の第９図）、或いは透明周壁の周方向一部に目盛線を付形したものが知れている（同文献１の第１４図）。
【特許文献１】実開平２−８７４５号
【特許文献２】特開２００５−３０５６７３
【特許文献３】特開２００２−６８１９７
【特許文献４】特開２０００−３０１５４２
【発明の開示】
【発明が解決しようとする課題】
【０００３】
計量カップの透明周壁全周に亘って目盛線を周設したものは、周方向のどこからでも計量カップ内部を透視することができる全方位型であり、使い勝手はよいが、デザイン上の制約が多い。すなわち筒体に一条又は数条の横線が入っただけの単調な形態となるので利用者から飽きられやすいし、模様を印刷するときも目盛線を避けなければならないので、自由にデザインを設計することができない。
【０００４】
計量カップの周方向一部に目盛線などを横設するときには、そうしたデザインの単調さなどの問題を免れることができるが、今度はどこに目盛が入っているかを探すのに手間取ることがある。例えば計量カップを使用する場所がややうす暗かったり、或いは利用者の視力が若干弱かったりすると、小さな目盛線は視認しずらい。
【０００５】
出願人は以上のような問題点を鋭意検討して、梨地状又は曇りガラス様の粗面に線や文字を入れる技術を計量カップに適用することに想到した。計量カップ以外の分野では、例えばプラスチック製の板材の表面全体を梨地状の凹凸面とし、この凹凸面に所定形状の溝を凹設して文字を表現することが行われている（特許文献２）。しかしながら、こうした技術を有底筒形の計量カップにどのように応用するかということに関しては開示していない。
【０００６】
梨地を利用した容器として、本出願人は、直筒形の容器体の表面全体を梨地とするとともに、その筒壁の高さ方向一部を透明部とし、この透明部から内部を看ることができるようにしたものを提案している（特許文献３の図１参照）。しかし、この場合の梨地仕上げの目的は、つや消しであり、計量手段として梨地などの粗面を用いることは開示していない。
【０００７】
本発明の第１の目的は、筒壁の一側部に粗面と滑らかな面とのコントラストにより目盛を明瞭に形成した、目盛付き計量カップを提供することである。
【０００８】
本発明の第２の目的は、目盛要素の周囲を、光を散乱する粗面とすることで目盛の位置を容易に探すことができるようにした目盛付き計量カップを提供することである。
【課題を解決するための手段】
【０００９】
第１の手段は、有底の周壁を有し、この周壁の一側部に目盛表示エリアを形成した計量カップであって、
この目盛表示エリア６を、線や文字などの目盛要素８を具現する第１のセクション１０と、目盛以外のバックグラウンドに相当する第２のセクション１２とで形成し、
目盛表示エリア以外の周壁表面部分と第１のセクション１０の少なくとも縁部分とを、滑らかな面で、かつ第２のセクション１２を、透過光又は反射光を散乱する機能を有する粗面でそれぞれ形成するとともに、
第２のセクション１２は、第１のセクション１０を取り囲むように構成している。
【００１０】
本手段では、計量カップの一側部に形成した目盛表示エリアを、滑らかな面と粗面とで目盛を表現するように形成することを提案している。目盛要素の周囲を、光を散乱する粗面で形成することにより計量カップのうち目盛のある場所がおおよそ判る。次に粗面に囲まれた目盛要素を滑らかな面で形成することで、光を散乱する程度のコントラストで目盛が明瞭に見える。なお、本明細書で“光の散乱”とは主として梨地や曇りガラス様の表面を光が乱れて透過又は反射することをいう。また、本発明において、「目盛表示エリア」は、滑らかな目盛要素の周囲を凹凸状の粗面で囲むことで目盛を表示すると同時に目盛のおおよその位置を利用者に分りやすくする機能を有する。従って、目盛表示エリアは計量カップの筒壁の一側部にだけ形成されていることが大事な事項である。後述のブラスト加工では、加工面に研磨粒子を吹き付けて加工するという技術内容から、板材の片面全体とか筒体の外表面全体のような広範囲を加工対象とすることが多い。しかしながら、本発明の場合、計量カップの外表面全体を粗面としたら、利用者はその外表面全体から目盛のある位置を探さなければならず、目盛表示エリアとしての機能を果たせない。もちろん、目盛線を赤などの目立つ色で彩色すればそうした面倒はないのであるが、デザイン設計上は、目盛などの機能要素が目立ちすぎると、しゃれた感覚を損なうおそれがあり、好適ではない。目盛の形態が目立ちすぎることなく、かつ探さなくても判る程度に表現するということが本発明の要旨の一つである。
【００１１】
「目盛要素」とは、目盛線のように所定の計量値を表す図形、及びその計量数を表す文字などの記号をさす。
【００１２】
「第１のセクション」は、目盛要素の形状を表すように形成された部分である。すなわち、第１のセクションの機能は、このセクションの外縁で目盛要素の輪郭を表すことであり、この輪郭が第２のセクション（粗面）と区別できればどのような形態でもよい。例えば図３に示すように外縁及びその内側全体を滑らかな面としてもよく、図４の数字部分に示す如く外縁だけをなめらかとして、その内側部分を粗面（散点状に表現した部分）としてもよい。
【００１３】
「第２のセクション」は、第１のセクションを囲み、光を適度に散乱することで、利用者が目盛要素を見つけることを手助けする機能を有する。従って第２セクションの略中央に第１のセクションが存在することが望ましい。第１のセクション及び第２のセクションは、前述の通り周壁の一側部にのみ設ける。一側部とは、少なくとも筒壁の半分よりも小さい部分とする。第２のセクションを形成する粗面は、従来公知の如く微細な凹凸を有する金型（特許文献４）用いることで成形することができる。
【００１４】
第２の手段は、第１の手段を有し、かつ上記周壁４の全体を透明材料で形成している。
【００１５】
本手段では、周壁を透明材料で形成することを提案している。目盛の位置がすぐに判るという目盛表示エリアの意味合いからすれば周壁を透明とし、周壁を透視して液面を計ることが望ましいからである。目盛表示エリアは周壁の外周面に形成することが望ましいが、これについては後述する。「透明材料」としては合成樹脂やガラスを用いることができる。
【００１６】
第３の手段は、第２の手段を有し、かつ
目盛表示エリア６内の任意の目盛要素８に関して、この目盛要素を具現する第１のセクション１０の縁部分全体を滑らかな面とするとともに、縁部分を除く第１のセクション部分を、第２のセクション１２と同じ粗面としている。
【００１７】
本手段では、第１のセクションのうち縁部分の内側部分を粗面で形成することを提案している（図４の数字部分を参照）。すなわち、目盛要素の輪郭部分だけが透視可能で、その内側（縁を除く第１のセクション部分）と外側（第２のセクション）とは不透明な枠抜きタイプとなっている。一つの目盛表示エリアのうちの全部又は一部をこうしたタイプとして形成することができる。例えば目盛線を表す場合には、透明箇所を介して液面を透視する必要から、第１のセクション全体を滑らかな面で形成することができるようにすることが望ましい。しかしながら、計量文字を表すときには、第１のセクション全部が透視可能である必要はない。例えば利用者が計量カップを見る側と反対側に窓などの明かりがあると、文字をかたどる第１のセクションから漏れる光が少ない方が液面の位置を視認し易い。
【００１８】
第４の手段は、第２の手段を有し、かつ
目盛要素８毎に目盛表示エリア６を形成して、この目盛表示エリア６の第１のセクション１０を滑らかな面で形成するとともに、第２のセクション１２を、上記第１のセクション１０の外縁に沿って延びる略一定巾に形成している。
【００１９】
本手段では、図５に示す如く目盛線や目盛文字などの目盛要素毎に目盛表示エリアを形成している。複数の目盛表示エリアを設けるときには、計量カップの周壁の一側に一連の目盛表示エリアを配列するとよい。
【００２０】
第５の手段は、第２の手段から第４の手段の何れかを有し、かつ
上記周壁の粗面箇所を、金型の対応箇所にブラスト加工により微小凹凸を設けることにより形成している。
【００２１】
ブラスト加工は、ブラスト材料（各種研磨材などの粒）を空気圧縮で対象物の表面に吹き付けることで行う。一般には製品の表面のさび・汚れなどの除去を行うことが多いが、本発明では、製品の金型に粗面形成用の微細な凹凸を形成するために用いる。これ以外に粗面を形成する方法としては、製品自体の表面をブラスト加工したり、酸などの薬品を適用したり、凹凸のある透明シールを貼付するなどの方法が考えられるが、製品を後から加工する方法なので、本手段の方が経済的である。
【００２２】
第６の手段は、第２の手段から第５の手段の何れかを有し、かつ上記目盛表示エリア６を、周壁４の外周面に形成している。
【００２３】
本手段では、目盛の周辺に光を散乱する粗面として目盛を目立たせるという構造の実用的な態様を提案している。周壁の内周面に粗面を含む目盛表示エリアを形成した場合には、出願人の実験によれば、水を入れたときに目盛要素と周囲の粗面との境が曖昧になることが判った。その理由は、粗面の微細な凹凸の隙間に空気よりも屈折率の高い水が入り込むと、光が凹凸面を通過する際に光路が屈折する程度が小さくなるためであると思われる（スネルの法則）。
【発明の効果】
【００２４】
第１の手段に係る発明によれば次の効果を奏する。
○計量カップの周壁の一側部にのみ目盛表示エリア６を形成したから、目盛がある大よその位置が一目でわかる。
○目盛表示エリア６のうち、目盛を具現する第１のセクション１０を滑らかな面で、下地に相当する第２のセクション１２を散光機能を有する粗面としたから、光の散乱の有無のコントラストで目盛がくっきりと見える。
【００２５】
第２の手段に係る発明によれば、目盛表示エリアの形成個所と反対側から周壁を見ても目盛の位置を視認することができて使い勝手がよい。
【００２６】
第３の手段に係る発明によれば、任意の文字要素の第１のセクションのうち縁部分だけを滑らかな面とし、縁部を除く第１のセクション部分を粗面としたから、第１のセクションを介して計量カップの内部が透けて見えて気が散ることがない。
【００２７】
第４の手段に係る発明によれば、第１のセクション１０が目盛り線を表している場合には、第１のセクションを透過して液面を目視することができる。
【００２８】
第５の手段に係る発明によれば、上記周壁の粗面箇所を、金型の対応箇所にブラスト加工により微小凹凸を設けることにより形成したから、経済的に生産できる。
【００２９】
第６の手段に係る発明によれば、目盛表示エリア６を周壁４の外周面に形成したから、滑らかな面で形成する第１のセクション１０と粗面で形成する第２のセクション１２との見た目のコントラストが明瞭になる。
【発明を実施するための最良の形態】
【００３０】
図１から図３は、本発明の第１の実施形態に係る目盛付き計量カップを示している。
【００３１】
この目盛付き計量カップは、底壁２の周縁から起立する円筒形の周壁４を有する。計量カップ全体を合成樹脂で一体に成形することができる。この実施形態の計量カップは、全体として透明に形成している。
【００３２】
上記周壁４の一側部４ａには、目盛表示エリア６を形成している。図示例の目盛表示エリア６は、全体として矩形であり、周壁の上方及び下方に余白を残して形成されているが、その構造は適宜変更することができる。目盛表示エリアは、目盛要素８を表す第１のセクション１０と、目盛要素のバックグラウンド、即ち、背景に相当する第２のセクション１２とで形成している。表示の目的である目盛要素と背景とのコントラストにより目盛要素をくっきりと表すことができる。
【００３３】
上記目盛要素８は、目盛線や、この目盛線にまで液体が達したときの容量を表す数字とする。
【００３４】
上記第１のセクション１０は、目盛線を表す帯や数字の形を有し、その内側全体を滑らかな面としている。図３にそうした構成の一例を示す。同図においては滑らかな面を白抜きで、粗面を散点状とすることで著している。本明細書で「滑らかな面」という言葉は、光の散乱を抑えるようにつるりとした表面に形成した面をいい、フラットな面或いはゆるい曲面を含むものとする。
【００３５】
上記第２のセクション１２は、図２に示すような凹凸状の粗面とする。凹凸の大きさは、少なくとも肉眼で第１のセクションと区別できる程度とする。例えば梨地や曇りガラス様とすればよい。
【００３６】
上記構成において、図１のように計量カップの全体を斜め方向から俯瞰してみる。図面では目盛要素が線図でしっかりと描かれているので容易に判別できるが、現物では目盛要素とその他の部分との間には線図などが描かれていないので、利用者の視力や周囲の明るさ次第では目盛要素８を直ちに認識できない場合がある。しかしながら、目盛要素８が見えなくても、少なくとも目盛表示エリア４の第２のセクション１２がぼんやりと見えるので、その箇所に目盛があるということが予測できる。そこで図２のように計量カップの第２のセクション形成箇所を利用者の顔に向けて、当該箇所をよく見ると、第１のセクション１０で形成された目盛要素８が目に入る。この目盛要素８も周囲が曇りガラス様の粗面となっているために、従来技術の如く計量カップの透明周壁に目盛を表す溝やリブを形成した構造に比べれば、ずっと識別は容易である。また、はじめに目盛表示エリアの形成箇所と反対側（図２では左側）から計量カップを見ても、手前の周壁部分を透視して、遠方の周壁部分の目盛表示エリア４がみえるので、やはり目盛を簡単に見つけることができる。
【００３７】
上記計量カップ内に水など被計量液体を注ぎながら、図２に示すように目盛線を表す目盛要素８を注視し、この目盛を形成する第１のセクション１０を介して液面が見えたときに注水を完了すれば、計量終了である。
【００３８】
以下本発明の他の実施形態を説明する。これらの実施形態において、主として第１の実施形態と異なる構造を解説するものとし、同じ構成については説明を省略する。
【００３９】
図４は、本発明の第２実施形態である。この実施形態では、文字型の目盛要素８Ｂに関しては、第１のセクション１０のうち縁部分１０ａを、透明な滑らかな面とし、縁内方の部分１０ｂを不透明な粗面としている。他方、線型の目盛要素８Ａは、第１の実施形態と同様に第１のセクション１０全体を透明な粗面としている。そうしなければ図４に示す水面Ｓｗを透視することができないからである。文字型の目盛要素８Ｂを上記の如く構成することで、図４で見る状態で、紙面奥行き方向から手前に光があたる場合に、文字である目盛要素からもれる光の量が制限されるので、まぶしくなることを防止できる。また、特にまぶしい環境ではなくても、水面の高さを視認する作業においては、線型の目盛要素８Ａ以外の場所からはなるべく計量カップの内部が見えない方が作業に集中できる。
【００４０】
図５は、本発明の第３実施形態である。本形態では、目盛要素８Ａ、８Ｂ毎に目盛表示エリア６を形成し、目盛要素を表す第１のセクション１０の回りに一定巾で第２のセクション１２を形成している。
[実施例]
図６は、縦長の周壁４の中間部外面から外向きフランジ２０を突出するとともに、その外向きフランジ外縁から装着筒２２を起立している。そしてこの装着筒を、想像線で表す容器体の口頸部Ａに嵌合することが可能に設けている。
【００４１】
図７は、目盛表示エリアの第１のセクション１０を外方への凸部に形成したものである。これとは反対に第１のセクションを凹部（または溝部）に形成することもできる。これにより第１のセクション１０と第２のセクション１２との区別が一層容易となる。
【図面の簡単な説明】
【００４２】
【図１】本発明の第1の実施形態に係る目盛付き計量カップの斜視図である。
【図２】図１の目盛付き計量カップのII−II線縦断面図である。
【図３】図１の目盛付き計量カップの要部拡大図である。
【図４】本発明の第２の実施形態に係る目盛付き計量カップの要部拡大図である。
【図５】本発明の第３の実施形態に係る目盛付き計量カップの要部拡大図である。
【図６】本発明の一の実施例を示す図である。
【図７】本発明の他の実施例を示す図である。
【符号の説明】
【００４３】
２…底壁  ４…周壁  ４ａ…側部  ６…目盛表示エリア  ８…目盛要素
１０…第１のセクション  １２…第２のセクション
２０…外向きフランジ  ２２…装着筒
Ｓｗ…水面  Ａ…容器の口頸部
【図１】
2010127869.tif 000003
【図２】
2010127869.tif 000004
【図３】
2010127869.tif 000005
【図４】
2010127869.tif 000006
【図５】
2010127869.tif 000007
【図６】
2010127869.tif 000008
【図７】
2010127869.tif 000009